(57)【特許請求の範囲】
【請求項１】
コンパクト本体と、該コンパクトに開閉自在に設けられる蓋体と、該コンパクトを開閉する為のフックピースと、
前記蓋体或いは前記コンパクト本体の内周縁部に、前記蓋体の閉口状態で前記コンパクト本体の収納部を覆ってその内部を密閉する弾性体からなるシール部からなる気密コンパクトにおいて、
前記蓋体は、突起部とフック部を有し、
前記コンパクト本体は、弁機構と空気通過部と空気通過管と吸盤部とフック部を有し、
前記フックピースは、軸部と吸着受けシート部を有し、前記軸部を支点にシーソー構造になっており、
前記突起部は、前記弁機構のヘッド部上部を押すことが出来る位置に設けられ、
前記蓋体に設けられたフック部と前記コンパクト本体に設けられたフック部は、コンパクト閉口時に嵌合する位置に設けられ、
前記弁機構と前記空気通過部と前記空気通過管と前記吸盤部は、この順に隣接して設けられ、
前記吸盤部と前記吸着受けシート部は、減圧状態で密着することが出来る位置に設けられ、
前記吸着受けシート部は、蓋体側フック部とコンパクト本体側フック部が嵌合する位置と、軸部を挟んで反対側の位置に設けられ、
コンパクトを閉口する際に
前記突起部が前記弁機構のヘッド部を押すことにより、
前記弁機構内の空気が、前記空気通過部及び前記空気通過管を経由して、気密調整部である前記吸盤部と前記吸着受シート部との間から押し出されるとともに、
蓋体側フック部とコンパクト本体側のフック部が嵌合することによりコンパクトが閉口し、
コンパクト閉口後に、
前記シール部と前記弁機構のヘッド部が弾性力により復元することで
前記収納部及び前記弁機構内部が減圧状態となるとともに
前記吸盤部と前記吸着受シート部が密着し気密状態を維持することが出来る気密コンパクト。
【発明の詳細な説明】
【技術分野】
【０００１】
本発明はコンパクト、さらに具体的には揮発性成分を含んだファンデーション、おしろい、アイシャドウ等の化粧料を収納するための気密コンパクトに関する。
【背景技術】
【０００２】
近年、ファンデーション、おしろい等のベースメイク、アイシャドウ、チーク等のポイントメイクにおいては、使用時において、汗や水などで容易に落ちないこと（いわゆる持続性）が求められるようになった。そこで、これら化粧料の持続性を向上させる為に、化粧料に揮発性成分を配合することが試みられている。このような揮発性成分を配合した化粧料を通常のコンパクトに収納すると、経時的に揮発性成分が揮発してしまい、化粧料の品質を損ねていた。  
そこで、揮発性成分を含有する化粧料をコンパクトに収納する際には、通常のコンパクトよりも気密性を高める試みがなされてきた。
【０００３】
最も一般的には、コンパクト本体内周縁部若しくは蓋体内周縁部にゴム等のシール部を設け、コンパクト本体と蓋体の嵌合時にシール部を密着させて気密性を得るようにしている（例えば、特開９−５６４５４号公報）。しかしながら、未だ十分な気密が保たれていないのが現状である。一方、使用性について言うならば、気密性を高めたが故に、コンパクトが容易に開口しづらい場合があるという問題点が生じていた。
【０００４】
他方、気密性を高める技術としては、食品の鮮度を向上させる為に、蓋体を押すことで容器内の空気を押し出し、弁等の構造を用いて容易に空気が逆流しないようにする食品保存容器等がある（例えば、特開平７−２７７３７４号公報）。このような容器では、蓋体の一部に、蓋を開口する為の機構（当該公報でいう回動体）を設ける必要があり、そのままコンパクトに応用する場合には、美観を損ねる可能性があった。
【先行技術文献】
【特許文献】
【０００５】
【特許文献１】特開９−５６４５４号公報
【特許文献２】特開平７−２７７３７４号公報
【発明の概要】
【発明が解決しようとする課題】
【０００６】
本願発明は上記の背景技術に鑑みてなされたものであって、十分な気密性を有しながら、使用時においては、簡易にコンパクトを開口出来る気密コンパクトを提供することを目的とする。
【課題を解決するための手段】
【０００７】
本発明の気密コンパクトは、化粧料を収納するコンパクト本体と蓋体とを蝶番部等で接合したフックピース付きのコンパクト容器において、コンパクト本体の内周縁部若しくは蓋体内周縁部にゴム、シリコン等の弾性体からなるシール部を設け、コンパクト本体に弁機構及びフックピース内に気密調整部を設け、フックの開閉動作と連動させることにより、上記課題を解消した。
【発明の効果】
【０００８】
本発明によると、十分な気密状態と優れた使用性を両立させ、更には審美性優れた気密性コンパクトを提供することが可能になる。
【図面の簡単な説明】
【０００９】
【図１】実施例１におけるコンパクトの斜視図である。
【図２】実施例１におけるＡ−Ａ断面図である。
【図３】図２における破線円部を分解した拡大図である。
【図４】実施例１における弁機構の分解斜視図である。
【図５】蓋体を閉める前後の弁機構周辺の断面図である。
【図６】コンパクトを開けた際の空気の流れを示したフックピース付近の拡大図である。
【図７】弁機構ヘッド部の拡大図である。
【発明を実施するための形態】
【００１０】
以下、本発明に係る気密コンパクトを実施する為の最良の形態に関し、図面を参照して詳細に説明するが、本発明が以下の実施例に限定されるものでないことは、言うまでもない。
【実施例１】
【００１１】
図１は、本願発明のコンパクト１を閉じた状態の斜視図ある。外観上は、通常のフックピース付きコンパクトと何ら変わりはない。言い換えれば、本発明の気密機構は、コンパクトの審美性を損ねることはない。図２は、図１のＡ−Ａ断面図である。本コンパクト１は、コンパクト外周と化粧料等の収納部５０との間の隙間スペースに弁機構８を備えている。また、本コンパクトの蓋体３には、本コンパクト１を閉口した際に、本弁機構８のヘッド部９を押す事が出来る位置に、突起部２０を備えている。
【００１２】
図３は、図２の破線円部分拡大し、フックピース４を外した状態を示している。本発明におけるフックピース４は、通常のフック機能を有するフック部（５ａ、５ｂ）の他に、フックピース４の押し位置を誘導する目印となるボタン部６、本コンパクト１の気密状態を調節する機能を有する気密調整部１７を備えている。
図３では、フックピース４を長方形とし、長手方向の中央付近に軸部（７ａ，７ｂ）を設けている。厳密に言えば、フックピース４側に軸部７ｂを設け、コンパクト本体２側に軸部７ａを設けている。図３においては、軸部７ａの突起部が軸部７ｂの穴に嵌めこまれる。図３においては、軸部７ａが凸状、軸部７ｂは穴としているが、軸部７ａ側を凹状、軸部７ｂ側を凸状にしたりすることも可能である。言い換えれば、フックピース４が、シーソーの様に動くことが出来れば良い。
【００１３】
ここで、図３を用いてフックピース４の構造を説明する。軸部（７ａ、７ｂ）に対し、向かって右側にボタン部６、その内側に通常のフック機能を有するフック部（５ａ、５ｂ）を設け、左側に気密状態を調節する気密調整部１７を設けている。フックピース４のボタン部６を押すと、公知の方法により、フック部（５ａ、５ｂ）のフック機構が解除されると同時に、前記軸部（７ａ、７ｂ）を支点に、フックピース４がシーソーの様に動き、フックピース４の左側の気密調整部１７が本コンパクト１の外周方向に押し上げられ、本コンパクト１の気密状態が解除される。
気密状態の設定、解除の方法については、後で詳述する。
尚、図３では、フックピース４を横長の長方形とし、その右側にフック部（５ａ、５ｂ）、左側に気密調整部１７を配置した例を示したが、フックピース４に軸部（７ａ、７ｂ）を設け、軸部（７ａ、７ｂ）を挿んでフック部と気密調整部が設けられていれば良い。図３とは、左右逆であっても良いし、スペース的に可能であれば、フックピース４を縦長の長方形とし、上下にシーソーの様に動く配置することも可能である。
【００１４】
図４は、本コンパクト１の気密状態の設定・解除に関わる弁機構８を取り出し、分解した図である。本弁機構８は、主に収納部５０の空気を取り込み、空気をコンパクトの外部に押し出すヘッド部９と、空気の逆流を防ぐ弁部１１から構成されている。図４では、ヘッド部９と弁部１１は別パーツとして示しているが、一体成形しても差し支えない。ヘッド部９には、空気孔１０が開けられており、本空気孔１０を通して、収納部５０の空気が出入りする。本弁機構８は、シリコン、ゴム等の弾性体からなる。
【００１５】
図２、図５を用いて、本コンパクト１を閉口した際の空気の流れを説明する。
図５は、本コンパクト１を閉口した際の空気の流れを示している。本コンパクト１の蓋体３内側には、突起部２０が設けられている。本突起部２０は、本コンパクト１を閉口した際に、弁機構８のヘッド部９の上部に来るように設けられている。  
つまり、本コンパクト１を閉口すると、蓋体３内側に設けられた突起部２０が、ヘッド部９上部を押圧する。すると、ヘッド部９上部付近にあった空気が下方に押し下げされ、弁部１１を通って空気通過部１２に送られる。この時、この空気の流れの陰圧効果によって、収納部５０の空気も一緒に、ヘッド部９に設けられた空気孔１０から吸い出される。一旦空気が押し出さると、弁部１１は、その弾性力により、元の位置に戻り、空気の逆流をある程度防ぐ。尚、弁部１１は、一方向に空気の流れを作る役割と、陰圧の補助をする役割を持つが、完全に空気の逆流を防ぐものではない。つまり、本コンパクト１の収納部５０の内圧を下げる為の補助機構であり、弁部１１は、最悪なくても良い。その場合は、蓋体３自体をポンプの役割として蓋体３を押すことで、本コンパクト１の収納部５０内の空気を押し出すことで対応出来る。
【００１６】
以降の空気の流れについては、図２を用いて説明する。ヘッド部９によって押し出された空気は、空気通過部１２を通り、空気通過管１３を経て、吸盤部１５と吸着受シート部１６との隙間から押し出される。吸盤部１５と吸着受シート１６は、密着状態ではないが、予め接した状態になる位置に設けられているので、空気が押し出された後には、吸盤部１５と吸着受シート部１６内にある空気は陰圧状態になり、自然に吸盤部１５と吸着受シート部１６は密着状態になり、空気の逆流が防がれると同時に本コンパクト内の気密状態が設定される。つまり、ここで気密状態が完了する。
【００１７】
前述の吸盤部１５及び吸着受シート１６は、ゴム、シリコン等の弾性体からなる。吸着受シート１６は、フックピース４の内部壁面に設けられ、吸着受シート１６の中央部付近には、小さな突起を設けている。本突起は、必須の構成ではないが、吸盤部１５と吸着受シート１６とが密着状態になるのを助ける。
吸着受シート１６は、フックピース４の内部壁面に直接貼り付けることも可能であるが、吸着受シート１６を挿入できるような構造を設けても良い（図３参照）。
【００１８】
吸着空気通過部１２及び空気通過管１３は、コンパクト本体２に予め設けられている。ヘッド部９、弁部１１、吸盤部１５は、コンパクト本体２に予め設けられた空間の大きさに応じて、空気の漏れがないように適宜配置される。図５では、空気通過部１２と空気通過管１３は、本コンパクト１に予め設けられた空間として記載しているが、別パーツとして作成しても差し支えない。空気の漏れ等を考慮すると、本コンパクト１に予め空間として設けておくのが望ましい。
【００１９】
また、本コンパクト１は、蓋体３の内側縁部或いは、コンパクト本体２の内側縁部に、ゴム・シリコン等の弾性体からなるシール部１８を備えているので、本コンパクト１を閉口すると、通常のフック機構によりコンパクトが閉じられると共に、本シール部１８及び弁機構８のヘッド部９が元の形状に戻ろうとする力（復元力）によって、本コンパクト１の気密状態が保たれる。
【００２０】
ここで、本コンパクト１のフック部（５ａ、５ｂ）とシール部１８との位置関係を詳述する。本コンパクト１においては、コンパクトのフック部（５ａ、５ｂ）が閉まるまえに、コンパクトをシールしているシール部１８が、本コンパクト１内を密閉状態にしている。よって、フック部（５ａ、５ｂ）が閉まった時には、シール部１８は、やや押し潰された状態になる。フック部（５ａ、５ｂ）が閉まる時に、本コンパクト１内の収納部５０中の空気が、本コンパクト１外に押し出され、空気の流れが止まる。
シール部１８は、弾性体で出来ている為、フック部（５ａ、５ｂ）が閉まった後、元の形に戻ろうとする力が発生する。この時、収納部５０内の空気は陰圧状態になる。
【００２１】
前記空気孔１０は、空気が行き来できる大きさであれば良い。もっとも、弁機構８のヘッド部９を蓋体３の突起部２０が押圧した際に、ヘッド部９上部にある空気が、化粧料等の収納部に流れ込むのを防止する為、出来る限り小さい形状、具体的には、直径１ｍｍ〜１．５ｍｍ程度であることが望ましい。気密状態を設定する際に、弁機構８のヘッド部９上部の空気が、化粧料等の収納部５０に流れ込みにくくする為に、空気孔１０の形状を、収納部側からヘッド部内部に向かって細くなるテーパ状にすることも可能である。
【００２２】
図６は、本コンパクト１を開口する際の空気の流れを示した図である。使用者が、フックピース４に設けられたボタン部６を押すと、公知の方法により、フック部（５ａ、５ｂ）のフック機構が解除され、蓋体３を押し上げると同時に、軸部（７ａ、７ｂ）が支点となって、シーソーの様に動き、気密調整部１７がコンパクト外周方向に押し上げられる。そうすると、吸盤部１５と吸着受シート部１６の密着状態が解除され、空気が一気にコンパクト内部に入り込む。流れ込んだ空気は、空気通過管１３、空気通過部１２、弁部１１を通じヘッド部９に流れ、ヘッド部９に設けられた空気孔１０から、収納部５０へと流れ込む。これにより、蓋体３内側縁部或いは、コンパクト本体２の内側縁部に設けられたシール部１８の気密状態も解除され、コンパクト１が開口される。
【００２３】
図７は、本コンパクト１の弁機構８におけるヘッド部９の形状のバリエーションである。コンパクト１外周と化粧料等の収納部５０の間のスペースの形に応じて、弁機構８のヘッド部９の形状を変えることが出来き、ヘッド部９を上から見た状態で、図４、図７のような円形、三角形の他、楕円形、長方形、正方形、台形とすることも可能である。また、図４では、ヘッド部９の上部が半球状になっているが、本コンパクト１を閉口した際に、突起部２０が、本ヘッド部９を押すことが出来れば良いので、図７のように平面状であっても差し支えない。
【００２４】
前記弁機構８の大きさは、コンパクト１外周と化粧料等の収納部５０の間のスペースの形や大きさに応じて、適宜調節される。もっとも、気密コンパクトに要求される気密度は、真空レベルではなく、揮発性成分が経時的に揮発することを防止することが出来るレベルである為、弁機構８のヘッド部９は直径で５ｍｍ以上１０ｍｍ程度あれば、十分効果を奏することが出来る。
【産業上の利用可能性】
【００２５】
本発明によれば、コンパクトの外観に影響する事無く、コンパクトの気密状態を設定出来るだけでなく、使用者は、フックピースにおける操作のみ、コンパクトの気密状態を解除出来る、従来にない優れた気密コンパクトを提供することが出来る。
【符号の説明】
【００２６】
１：コンパクト
２：コンパクト本体
３：蓋体
４：フックピース
５ａ、５ｂ：フック部
６：ボタン部
７ａ、７ｂ：軸部
８：弁機構
９：ヘッド部
１０：空気孔
１１：弁部
１２：空気通過部
１３：空気通過管
１４：連結部
１５：吸盤部
１６：吸着受シート部
１７：気密調整部
１８：シール部
２０：突起部
５０：収納部
【図１】
0005825814.tif 000002
【図２】
0005825814.tif 000003
【図３】
0005825814.tif 000004
【図４】
0005825814.tif 000005
【図５】
0005825814.tif 000006
【図６】
0005825814.tif 000007
【図７】
0005825814.tif 000008